(57)【要約】【課題】シートを処理する機械に向かってシートを供給するための装置であって、給紙台が設けられており、給紙台に配置された、シートを平滑化するためのニューマチック式の装置が設けられている形式のものを改良して、高い確実性でもってシートを平滑化する装置を提供する。【解決手段】吸込空気で負荷される第１の溝３８が設けられており、第１の溝が、処理しようとする最大シート幅にわたって延びている。【選択図】図２
2008156123.tif 000002
【特許請求の範囲】
【請求項１】
シートを処理する機械に向かってシートを供給するための装置であって、
給紙台が設けられており、該給紙台に配置された、シートを平滑化するためのニューマチック式の装置が設けられている形式のものにおいて、
吸込空気で負荷される第１の溝（３８）が設けられており、該第１の溝（３８）が、処理しようとする最大シート幅にわたって延びていることを特徴とする、シートを処理する機械に向かってシートを供給するための装置。
【請求項２】
第１の溝（３８）が、シート搬送方向に対して横向きに配置されている、請求項１記載の装置。
【請求項３】
第１の溝（３８）の端部にそれぞれ吸込接続部（４１；４２）が配置されており、一方の吸込接続部（４１；４２）が作動して、かつ別の一方の吸込接続部（４１；４２）が遮断されるようになっている、請求項１記載の装置。
【請求項４】
中央に配置された吸込接続部（４３）が設けられている、請求項１記載の装置。
【請求項５】
少なくとも１つの別の溝（４４，４６，４７）が設けられている、請求項１から４までのいずれか１項記載の装置。
【請求項６】
別の溝（４４，４６）が、第１の溝（３８）に対して平行に前置されている、請求項５記載の装置。
【請求項７】
第１の溝（３８）に、別のＶ字形の溝（４７）が前置されており、該Ｖ字形の溝（４７）の先端が、シート搬送方向を向いている、請求項５記載の装置。
【請求項８】
溝（３８；４４；４６；４７）が、インサート（４０）を備えている、請求項１から７までのいずれか１項記載の装置。
【請求項９】
溝（３８，４４，４６，４７）が、進入傾斜部（４５）を備えている、請求項１から８までのいずれか１項記載の装置。
【請求項１０】
請求項１から９までのいずれか１項記載のシートを処理する機械に向かってシートを供給するための装置を備えたシート輪転印刷機。
【発明の詳細な説明】
【技術分野】
【０００１】
本発明は、シートを処理する機械に向かってシートを供給するための装置に関しており、ここではグリッパ装置によって搬送しようとするシートが、グリッパ閉鎖前に平滑化され、これによってシートは給紙台上に位置し、ウェーブ形成なく搬送ベルト、たとえば前グリッパによって把持することができる。
【背景技術】
【０００２】
ドイツ連邦共和国特許公開第１９７５３１３７号明細書は、シート搬送方向に対して横向きに配置された、インサートによって相互間隔を有して位置する吹出吸込ノズルの列を備えた装置を開示しており、吹出吸込ノズルは、吹出空気で負荷される。これによってシートの下方に、フラットな角度で、吸込効果を形成するよう所望された吹出空気が吹き付けられる。
【０００３】
ドイツ連邦共和国特許出願公開第１０２００４０１２６９７号明細書は、シート搬送方向に対して横向きに配置された、相互間隔を有して列を成して位置する幾つかの吸込開口を備えた装置が開示されており、吸込開口は、回転弁または電磁式切替弁によって、規則的に順次吸込空気で負荷されるようになっており、これによってシートは、側方に向かって伸ばされるか、もしくは平滑化される。
【０００４】
２つの吸込開口の間の吸着力の作用しない領域によって、迅速な吸込空気負荷に関してシートの慣性質量に起因して、シートは、２つの吸込開口の間の領域で平滑に載置されず、その結果シート搬送方向に対して横向きの軽いウェーブが生じる。
【特許文献１】ドイツ連邦共和国特許公開第１９７５３１３７号明細書
【特許文献２】ドイツ連邦共和国特許出願公開第１０２００４０１２６９７号明細書
【発明の開示】
【発明が解決しようとする課題】
【０００５】
したがって本願発明の課題は、高い確実性でもってシートを平滑化する装置を提供することである。
【課題を解決するための手段】
【０００６】
この課題を解決するための本発明の装置によれば、シートを処理する機械に向かってシートを供給するための装置であって、給紙台が設けられており、該給紙台に配置された、シートを平滑化するためのニューマチック式の装置が設けられている形式のものにおいて、吸込空気で負荷される第１の溝が設けられており、該第１の溝が、処理しようとする最大シート幅にわたって延びている。
【０００７】
有利には、第１の溝が、シート搬送方向に対して横向きに配置されている。
【０００８】
有利には、第１の溝の端部にそれぞれ吸込接続部が配置されており、一方の吸込接続部が作動して、かつ別の一方の吸込接続部が遮断されるようになっている。
【０００９】
有利には、中央に配置された吸込接続部が設けられている。
【００１０】
有利には、少なくとも１つの別の溝が設けられている。
【００１１】
有利には、別の溝が、第１の溝に対して平行に前置されている。
【００１２】
有利には、第１の溝に、別のＶ字形の溝が前置されており、該Ｖ字形の溝の先端が、シート搬送方向を向いている。
【００１３】
有利には、溝が、インサートを備えている。
【００１４】
有利には、溝が、進入傾斜部を備えている。
【００１５】
またこのようなシートを処理する機械に向かってシートを供給するための装置を備えたシート輪転印刷機が有利である。
【発明の効果】
【００１６】
本発明の利点によれば、シート平滑装置が溝として形成されている。このような構成手段によって、シートの切れ目のない平滑化が行われる。
【００１７】
溝としてのシート平滑化装置の構成は、簡単かつ安価に製作可能である。
【００１８】
溝開口を個別的に構造化するために、種々異なるインサートを使用することができる。
【００１９】
さらにまた溝に、薄肉のグリッドを設けることができ、これによって場合によっては生じ得るシートの引掛かり箇所を取り除くことができる。溝に沿った引掛かり箇所は、有利には進入傾斜部によって解消することができる。
【００２０】
溝は、少なくとも処理しようとするシートの最大サイズに相当する長さを有している。比較的小さなサイズでは、溝の比較的小さな幅に基づいて、不要な空気が保持力ひいては吸着溝の機能性にネガティブに影響することはない。
【００２１】
吸着力を高めるために、シート搬送方向でみて僅かな相互間隔を有して複数の溝を設けることができる。
【発明を実施するための最良の形態】
【００２２】
次に本発明の実施の形態を、図示の実施例を用いて詳しく説明する。
【００２３】
シート７を処理する機械、たとえば印刷機１は、給紙装置２と少なくとも１つの印刷装置３，４と排紙装置６とを備えている。シート７は、パイル（シートスタック）８から取り出されて、個別化されるかまたは刺身状にずれ重ねられて給紙台９を介して印刷装置３，４に供給される。印刷装置３，４は、公知の形式でそれぞれ版胴１１，１２を備えている。版胴１１，１２は、それぞれフレキシブルな刷版を取り付けるための装置１３，１４を備えている。さらに各版胴１１，１２に、半自動式または全自動式に刷版交換するための装置１６，１７が対応配置されている。
【００２４】
パイル８は、昇降制御可能なパイル板１０に載置されている。シート７の取り出しは、パイル８の上面からいわゆる吸着ヘッド１８によって行われ、吸着ヘッド１８は、とりわけシート７を個別化するための幾つかの昇降サッカ１９および送りサッカ２１を備えている。さらに上位のシートをほぐすための吹出装置２２およびパイル後方ガイドのための接触エレメント２３が設けられている。パイル８、特にパイル８の上位のシート７を方向調整または整列するために、側方および後方の幾つかのストッパ２４が設けられている。
【００２５】
２つの圧胴３１，３５の間に、反転装置２６が配置されており、反転装置２６は、渡し胴２７と蓄え胴２８と反転ドラム２９とを備えている。
【００２６】
図２には、給紙台９を平面図で示した。吸着ベルトとして形成されたシート搬送ベルト３２は、シート７を、刺身状にまたは個別的に前当て３３に搬送し、シート７は、シート搬送方向で整列される。側方のストッパ３４，３６は、シート７を、選択的にシート搬送方向に対して横向きに左右に方向調整するのに役立つ。たとえば前グリッパの構成をした後続搬送装置３７は、前当て３３と交互に列を成して配置されている。搬送ベルト３２と前当て３３との間の領域に、シート搬送装置に対して横向きに配置された、シートに向かって上方に開いた通路としての溝３８が設けられている。溝３８は、側方で、少なくともシートの処理しようとする最大サイズ幅まで延びている。
【００２７】
溝３８は、製作を簡単にするためにインサート４０を備えることができる。さらに溝３８は、進入傾斜部４５を備えており、進入傾斜部４５は、シート前縁の引掛かりを回避する。必要な場合、溝３８をカバーするための薄肉のグリッド（格子状部材）を設けることができ、この場合グリッドのウェブは極めて狭く形成されている。
【００２８】
溝３８は、シートを処理する機械のサイクルで、吸込源３９によって吸込空気で負荷可能である。
【００２９】
このために溝３８に第１の吸込接続部４１が設けられており、第１の吸込接続部４１は、溝３８の端部に配置されている。
【００３０】
溝３８の反対側に第２の吸込接続部４２を配置することができる。
【００３１】
所望の引張方向に応じて、第１の吸込接続部４１または第２の吸込接続部４２を作動させることができ、この場合作動しない方の吸込接続部４１，４２は遮断されている。溝３８の中央に第３の吸込接続部４３を配置することができる。第３の吸込接続部４３の作動時に、残りの吸込接続部４１，４２は遮断される。
【００３２】
シート７は、先ず搬送ベルト３２によって、前当て３３に搬送され、そこで周方向もしくはシート搬送方向で方向調整される。したがってシート７は、図示していない側方引張装置によって、サイドストッパ３４，３６に向かって側方で方向調整される。したがって引張方向に応じて、シートがシート搬送方向でみて右側に配置されたストッパ３４に向かって方向調整される場合、第１の吸込接続部４１が作動させられる。このような構成手段によって、シート７は、ストッパ３４の領域で先ず吸着される。シート下面に掛かる吸着力は、迅速に溝３８に沿って無段階に拡がり、ここでシート７を平滑に、つまり均等に面状にならす。
【００３３】
前グリッパ３７がグリッパ閉鎖状態でシート７をシートを処理する機械に後続搬送するまえに、シート７は、前縁の領域で固定される。シート搬送方向でみて左側に配置されたストッパ３６に係る方向調整は、前述した形式と同様に行われる。
【００３４】
シート７が中央からみて両側に向かって同時に平滑化しようとする場合、第３の吸込接続部４３が設けられるか、もしくは作動させられる。この場合グリッパ閉鎖前の側方の方向調整は省略することができる。側方の方向調整は、グリッパ閉鎖状態でシート搬送中にたとえば前グリッパ３７によって行われる。
【００３５】
シートに掛かる吸着力を高めるために、図３に示したように、２つまたは３つ以上の吸着溝３８，４４，４６を設けることができる。これらの吸着溝は、第１の吸着溝３８に対して平行に、したがってシート搬送方向に対して横向きに延びている。この場合吸込接続部４１，４２，４３は、それぞれ吸着溝３８，４４，４６全体に吸込空気の供給を行う。
【００３６】
図４に示した別の実施例によれば、シート搬送方向でみて吸着溝３８の上流側にＶ字形の溝４７が配置されており、その先端は、シート搬送方向を向いている。
【００３７】
特に中央の吸込接続部４３の作動状態で、シート７は、側方に向かって平滑化されるだけでなく、斜め後方に向かっても平滑化される。これによって前グリッパ３７によって受け取るまえに、シート７は極めて良好に固定される。グリッパを閉鎖したあとで、吸込空気は遮断される。必要な場合溝３８もしくは残りの溝４４，４６，４７の通気を行うことができる。
【図面の簡単な説明】
【００３８】
【図１】シート輪転印刷機を概略的に示す断面図である。
【図２】本発明によるシート平滑化のための装置を備えた給紙台を後続搬送手段の領域で示す平面図である。
【図２ａ】図２に示した溝の断面図である。
【図２ｂ】図２に示した給紙台の横断面図である。
【図３】平行に配置された２つの吸着溝を備えた第２実施例を示す図である。
【図４】シート搬送方向に対して横向きに延びる第１の溝とシート搬送方向でみてＶ字形に配置された第２の溝とを備えた第３実施例を示す図である。
【符号の説明】
【００３９】
１  印刷機、  ２  給紙装置、  ３  印刷装置、  ４  印刷装置、  ６  排紙装置、  ７  シート、  ８  パイル、  ９  給紙台、  １０  パイル板、  １１  版胴、  １２  版胴、  １３  刷版取付装置、  １４  刷版取付装置、  １６  刷版交換装置、  １７  刷版交換装置、  １８  吸着ヘッド、  １９  昇降サッカ、  ２１  送りサッカ、  ２２  吹出装置、  ２３  接触エレメント、  ２４  ストッパ、  ２６  反転装置、  ２７  渡し胴、  ２８  蓄え胴、  ２９  反転ドラム、  ３１  圧胴、  ３２  搬送ベルト、  ３３  前当て、  ３４  ストッパ（右）、  ３５  圧胴、  ３６  ストッパ（左）、  ３７  前グリッパ、  ３８  溝（吸着溝）、  ３９  吸込源、  ４０  インサート、  ４１  吸込接続部（右）、  ４２  吸込接続部（左）、  ４３  吸込接続部（中央）、  ４４  第２の溝、  ４５  進入傾斜部、  ４６  第３の溝、  ４７  Ｖ字形の溝
【図１】
2008156123.tif 000003
【図２】
2008156123.tif 000004
【図２ａ】
2008156123.tif 000005
【図２ｂ】
2008156123.tif 000006
【図３】
2008156123.tif 000007
【図４】
2008156123.tif 000008